(57)【要約】  本発明はプロモーション情報の処理方法、装置、デバイス及び非揮発性コンピュータ記憶媒体を提供する。一方面によると、本発明の実施例は再生待機中のビデオ情報を獲得することにより、上記ビデオ情報に含まれたプロモーション情報の上記ビデオ情報における再生位置情報を獲得し、更に上記プロモーション情報の上記ビデオ情報における再生位置情報によって、上記ビデオ情報を再生する時に上記プロモーション情報を再生しないようにする。こうして、本発明の技術案は、ビデオ情報中のプロモーション情報を表示しないようにすることができるので、従来技術においてビデオ情報を再生する時にプロモーション情報のスポットアナウンスがされることで生じる不都合な影響を解消する。
2017538328.tif 000002
【特許請求の範囲】
【請求項１】
再生待機中のビデオ情報を獲得し、
上記ビデオ情報に含まれたプロモーション情報の上記ビデオ情報における再生位置情報を獲得し、
上記プロモーション情報の上記ビデオ情報における再生位置情報により、上記ビデオ情報を再生する時に上記プロモーション情報を再生しないようにする処理を含む
プロモーション情報の処理方法。
【請求項２】
上記ビデオ情報に含まれた上記プロモーション情報の上記ビデオ情報における再生位置情報を獲得することは、
ビデオ情報とプロモーション情報との間における再生位置情報の対応関係を獲得し、
上記対応関係に基づいて、上記ビデオ情報に含まれたプロモーション情報の上記ビデオ情報における再生位置情報を獲得することを含む
請求項１に記載のプロモーション情報の処理方法。
【請求項３】
上記ビデオ情報に含まれた上記プロモーション情報の上記ビデオ情報における再生位置情報を獲得することは、
上記ビデオ情報の特徴データを獲得し、
予定されたプロモーション情報の特徴データと上記ビデオ情報の特徴データを比較して、上記ビデオ情報に含まれたプロモーション情報の上記ビデオ情報における再生位置情報を獲得することを含む
請求項１または２に記載のプロモーション情報の処理方法。
【請求項４】
上記ビデオ情報の特徴データは上記ビデオ情報に含まれたオーディオ情報部分の特徴データであり、上記プロモーション情報の特徴データは上記プロモーション情報に含まれたオーディオ情報部分の特徴データであり、または
上記ビデオ情報の特徴データは上記ビデオ情報に含まれたイメージ情報部分の特徴データであり、上記プロモーション情報の特徴データは上記プロモーション情報に含まれたイメージ情報部分の特徴データである
請求項３に記載のプロモーション情報の処理方法。
【請求項５】
上記ビデオ情報に含まれたプロモーション情報の上記ビデオ情報における再生位置情報は、上記プロモーション情報の上記ビデオ情報における再生開始時刻と再生終了時刻を含み、または、
上記ビデオ情報に含まれたプロモーション情報の上記ビデオ情報における再生位置情報は、上記プロモーション情報の上記ビデオ情報における再生開始フレームの情報と再生終了フレームの情報を含む
請求項１〜４のいずれか一項に記載のプロモーション情報の処理方法。
【請求項６】
上記プロモーション情報の上記ビデオ情報における再生位置情報に基づいて、上記ビデオ情報を再生する時に上記プロモーション情報を再生しないようにする処理は、
上記プロモーション情報の上記ビデオ情報における再生位置情報に基づいて、上記ビデオ情報を再生する時に上記プロモーション情報に対して早送り操作を実行することを含む、
請求項１〜５のいずれか一項に記載のプロモーション情報の処理方法。
【請求項７】
上記プロモーション情報の上記ビデオ情報における再生位置情報に基づいて、上記ビデオ情報を再生する時に上記プロモーション情報を再生しないようにする処理は
再生待機中のメディア資源を獲得し、
上記プロモーション情報の上記ビデオ情報における再生位置情報に基づいて、上記ビデオ情報を再生する時に上記メディア資源を利用して上記プロモーション情報を切り替えることを含んでおり、
ここで、上記メディア資源はイメージ情報、その他ビデオ情報及びテキスト情報のうちの少なくとも一つを含んでいてもよい
請求項１〜６のいずれか一項に記載のプロモーション情報の処理方法。
【請求項８】
再生待機中のビデオ情報を獲得するための情報獲得ユニットと、
上記ビデオ情報に含まれたプロモーション情報の上記ビデオ情報における再生位置情報を獲得するための位置確定ユニットと、
上記プロモーション情報の上記ビデオ情報における再生位置情報に基づいて、上記ビデオ情報を再生する時に上記プロモーション情報を再生しないようにする情報処理ユニットと、を含む
プロモーション情報の処理装置。
【請求項９】
上記情報獲得ユニットは、具体的に
ビデオ情報とプロモーション情報との間における再生位置情報の対応関係を獲得し、
上記対応関係に基づいて、上記ビデオ情報に含まれたプロモーション情報の上記ビデオ情報における再生位置情報を獲得するためのものである
請求項８に記載のプロモーション情報の処理装置。
【請求項１０】
上記情報獲得ユニットは、具体的に
上記ビデオ情報の特徴データを獲得し、
予定されたプロモーション情報の特徴データと上記ビデオ情報の特徴データを比較して、上記ビデオ情報に含まれたプロモーション情報の上記ビデオ情報における再生位置情報を獲得する
請求項８または９に記載のプロモーション情報の処理装置。
【請求項１１】
上記ビデオ情報の特徴データは、上記ビデオ情報に含まれたオーディオ情報部分の特徴データであり、上記プロモーション情報の特徴データは、上記プロモーション情報に含まれたオーディオ情報部分の特徴データであり、または
上記ビデオ情報の特徴データは、上記ビデオ情報に含まれたイメージ情報部分の特徴データであり、上記プロモーション情報の特徴データは、上記プロモーション情報に含まれたイメージ情報部分の特徴データである、
請求項１０に記載のプロモーション情報の処理装置。
【請求項１２】
上記ビデオ情報に含まれたプロモーション情報の上記ビデオ情報における再生位置情報は、上記プロモーション情報の上記ビデオ情報における再生開始時刻と再生終了時刻を含み、または
上記ビデオ情報に含まれたプロモーション情報の上記ビデオ情報における再生位置情報は、上記プロモーション情報の上記ビデオ情報における再生開始フレームの情報と再生終了フレームの情報を含む、
請求項８〜１１のいずれか一項に記載のプロモーション情報の処理装置。
【請求項１３】
上記情報処理ユニットは、具体的に、
上記プロモーション情報の上記ビデオ情報における再生位置情報に基づいて、上記ビデオ情報を再生する時に上記プロモーション情報に対して早送り操作を実行する、
請求項８〜１２のいずれか一項に記載のプロモーション情報の処理装置。
【請求項１４】
上記情報処理ユニットは、具体的に、
再生待機中のメディア資源を獲得し、
上記プロモーション情報の上記ビデオ情報における再生位置情報に基づいて、上記ビデオ情報を再生する時に上記メディア資源を利用して上記プロモーション情報を切り替えるものであり、
上記メディア資源は、イメージ情報、その他ビデオ情報及びテキスト情報の中の少なくとも一つを含んでいてもよい
請求項８〜１３のいずれか一項に記載のプロモーション情報の処理装置。
【請求項１５】
一つまたは複数のプロセッサと、
メモリと、
上記メモリに記憶されている一つまたは複数のプログラムを含むデバイスとして、
上記一つまたは複数のプログラムが上記一つまたは複数のプロセッサによって実行される時に、
再生待機中のビデオ情報を獲得し、
上記ビデオ情報に含まれたプロモーション情報の上記ビデオ情報における再生位置情報を獲得し、
上記プロモーション情報の上記ビデオ情報における再生位置情報に基づいて、上記ビデオ情報を再生する時に上記プロモーション情報を再生しない処理を実行する、
デバイス。
【請求項１６】
一つのデバイスによって実行される時に、
上記デバイスに、
再生待機中のビデオ情報を獲得し、
上記ビデオ情報に含まれたプロモーション情報の上記ビデオ情報における再生位置情報を獲得させ、
上記プロモーション情報の上記ビデオ情報における再生位置情報に基づいて、上記ビデオ情報を再生する時に上記プロモーション情報を再生させない、
コンピュータ実行可能命令を含むコンピュータ実行可能プログラム。
【発明の詳細な説明】
【技術分野】
【０００１】
本出願は出願日が２０１４年１２月１２日で、出願番号が２０１４１０７６８４４１．６で、発明名称が「プロモーション情報の処理方法及び装置」である中国特許出願の優先権を主張する。
本発明は、インターネット技術分野に関し、特に、プロモーション情報の処理方法、装置、デバイス及びコンピュータ記憶媒体に関する。
【背景技術】
【０００２】
インターネット技術の発展に連れて、ユーザーはパーソナルコンピューター、携帯電話、タブレットＰＣ、スマートＴＶなどの端末を使用してインターネット上でビデオを視聴することを選択することがますます多くなってくる。インターネット上のビデオ提供方は、収益確保の面を考慮して、ビデオが始まる前、またはビデオの再生過程においてたびたび各種形式のプロモーション情報、すなわち広告ビデオ、宣伝イメージ等をスポットアナウンスする。
【０００３】
ところが、現在、このようなスポットアナウンスされたプロモーション情報はすべて強制的に再生されるから、ユーザーは他のビデオに切り替えることを選択し、又はビデオを視聴しないことを選択し、または現在のプロモーション情報の再生の終了を待ち続ける。これは、ユーザーの視聴体験に影響を与えるだけでなく、更にユーザーの時間を浪費し、ユーザーがビデオを視聴する時の効率を低下させて、非常に多くの不都合な影響が存在する。
【発明の概要】
【発明が解決しようとする課題】
【０００４】
これに鑑み、本発明の幾つかの実施形態は、従来技術においてビデオ情報の再生中にプロモーション情報のスポットアナウンスがされることで生じる不都合な影響を解消するためのプロモーション情報の処理方法、装置、デバイス及びコンピュータ記憶媒体を提供する。
【課題を解決するための手段】
【０００５】
本発明に係る実施形態の一の側面は、
再生待機中のビデオ情報を獲得し、
上記ビデオ情報に含まれたプロモーション情報の上記ビデオ情報における再生位置情報を獲得し、
上記プロモーション情報の上記ビデオ情報における再生位置情報に応じて、上記ビデオ情報を再生する時に上記プロモーション情報を再生しないようにする処理を含むプロモーション情報の処理方法を提供する。
【０００６】
本発明の実施形態に係る上述のような側面といずれか一つの可能な実現方式は、更に
上記の上記ビデオ情報に含まれたプロモーション情報の上記ビデオ情報での位置情報を獲得することは、
ビデオ情報とプロモーション情報の位置情報対応関係を獲得し、
上記対応関係に基づいて、上記ビデオ情報に含まれたプロモーション情報の上記ビデオ情報での位置情報を獲得することを含む実現方式を提供する。
【０００７】
本発明の実施形態に係る上述のような側面といずれか一つの可能な実現方式は、更に
上記の上記ビデオ情報に含まれたプロモーション情報の上記ビデオ情報での位置情報を獲得することは、
上記ビデオ情報の特徴データを獲得し、
予定されたプロモーション情報の特徴データと上記ビデオ情報の特徴データを比較して、上記ビデオ情報に含まれたプロモーション情報の上記ビデオ情報での位置情報を獲得することを含む実現方式を提供する。
【０００８】
本発明の実施形態に係る上述のような側面といずれか一つの可能な実現方式は、更に
上記ビデオ情報の特徴データは上記ビデオ情報に含まれたオーディオ情報部分の特徴データであり、上記プロモーション情報の特徴データは上記プロモーション情報に含まれたオーディオ情報部分の特徴データであり、または
上記ビデオ情報の特徴データは上記ビデオ情報に含まれたイメージ情報部分の特徴データで、上記プロモーション情報の特徴データは上記プロモーション情報に含まれたイメージ情報部分の特徴データである実現方式を提供する。
【０００９】
本発明の実施形態に係る上述のような側面といずれか一つの可能な実現方式は、更に
上記ビデオ情報に含まれたプロモーション情報の上記ビデオ情報における再生位置情報は、上記プロモーション情報の上記ビデオ情報における再生開始時刻と再生終了時刻を含み、または
上記ビデオ情報に含まれたプロモーション情報の上記ビデオ情報における再生位置情報は、上記プロモーション情報の上記ビデオ情報における再生開始フレーム情報と再生終了フレーム情報を含む実現方式を提供する。
【００１０】
本発明の実施形態に係る上述のような側面といずれか一つの可能な実現方式は、更に
上記プロモーション情報の上記ビデオ情報における再生位置情報に基づいて、上記ビデオ情報を再生する時に上記プロモーション情報を再生しないようにする処理は、
上記プロモーション情報の上記ビデオ情報における再生位置情報に基づいて、上記ビデオ情報を再生する時に上記プロモーション情報に対して早送り操作を実行することを含む、実現方式を提供する。
【００１１】
本発明の実施形態に係る上述のような側面といずれか一つの可能な実現方式は、更に
上記プロモーション情報の上記ビデオ情報における再生位置情報に基づいて、上記ビデオ情報を再生する時に上記プロモーション情報を再生しないようにする処理は
再生待機中のメディア資源を獲得し、
上記プロモーション情報の上記ビデオ情報における再生位置情報に基づいて、上記ビデオ情報を再生する時に上記メディア資源を利用して上記プロモーション情報を切り替えることを含んでおり、
ここで、上記メディア資源はイメージ情報、その他のビデオ情報及びテキスト情報の中の少なくとも一つを含んでいてもよい、実現方式を提供する。
【００１２】
本発明に係る実施形態の一側面は、
再生待機中のビデオ情報を獲得するための情報獲得ユニットと、
上記ビデオ情報に含まれたプロモーション情報の上記ビデオ情報における再生位置情報を獲得するための位置確定ユニットと、
上記プロモーション情報の上記ビデオ情報における再生位置情報に基づいて、上記ビデオ情報を再生する時に上記プロモーション情報を再生しないようにする情報処理ユニットと、を含むプロモーション情報の処理装置を提供する。
【００１３】
本発明の実施形態に係る上述のような側面といずれか一つの可能な実現方式は、更に
上記情報獲得ユニットは、具体的に
ビデオ情報とプロモーション情報との間における再生位置情報の対応関係を獲得し、
上記対応関係に基づいて、上記ビデオ情報に含まれたプロモーション情報の上記ビデオ情報における再生位置情報を獲得するためのものである実現方式を提供する。
【００１４】
本発明の実施形態に係る上述のような側面といずれか一つの可能な実現方式は、更に
上記情報獲得ユニットは、具体的に
上記ビデオ情報の特徴データを獲得し、
予定されたプロモーション情報の特徴データと上記ビデオ情報の特徴データを比較して、上記ビデオ情報に含まれたプロモーション情報の上記ビデオ情報での位置情報を獲得する実現方式を提供する。
【００１５】
本発明の実施形態に係る上述のような側面といずれか一つの可能な実現方式は、更に
上記ビデオ情報の特徴データは上記ビデオ情報に含まれたオーディオ情報の特徴データで、上記プロモーション情報の特徴データは上記プロモーション情報に含まれたオーディオ情報の特徴データであり、または
上記ビデオ情報の特徴データは上記ビデオ情報に含まれたイメージ情報の特徴データで、上記プロモーション情報の特徴データは上記プロモーション情報に含まれたイメージ情報の特徴データである実現方式を提供する。
【００１６】
本発明の実施形態に係る上述のような側面といずれか一つの可能な実現方式は、更に
上記ビデオ情報に含まれたプロモーション情報の上記ビデオ情報での位置情報は、上記プロモーション情報の上記ビデオ情報での再生開始時刻と再生終了時刻を含み、または
上記ビデオ情報に含まれたプロモーション情報の上記ビデオ情報での位置情報は、上記プロモーション情報の上記ビデオ情報での再生開始フレーム情報と再生終了フレーム情報を含む実現方式を提供する。
【００１７】
本発明の実施形態に係る上述のような側面といずれか一つの可能な実現方式は、更に
上記情報処理ユニットは、具体的に
上記プロモーション情報の上記ビデオ情報での位置情報に基づいて、上記ビデオ情報を再生する時上記プロモーション情報に対して早送り操作を実行する実現方式を提供する。
【００１８】
本発明の実施形態に係る上述のような側面といずれか一つの可能な実現方式は、更に
上記情報処理ユニットは、具体的に
再生待機中のメディア資源を獲得して、
上記プロモーション情報の上記ビデオ情報での位置情報に基づいて、上記ビデオ情報を再生する時上記メディア資源を利用して上記プロモーション情報を切り替えるためのものであり、
ここで、上記メディア資源はイメージ情報、その他のビデオ情報及びテキスト情報中の少なくとも一つを含んでいてもよい実現方式を提供する。
【００１９】
本発明に係る実施形態の一側面は、
一つまたは複数のプロセッサと、
メモリと、
上記メモリに記憶されている一つまたは複数のプログラムを含むデバイスとして、
上記一つまたは複数のプログラムが上記一つまたは複数のプロセッサによって実行される時、
再生待機中のビデオ情報を獲得し、
上記ビデオ情報に含まれたプロモーション情報の上記ビデオ情報での位置情報を獲得し、
上記プロモーション情報の上記ビデオ情報での位置情報に基づいて、上記ビデオ情報を再生する時上記プロモーション情報を再生しないデバイスを提供する。
【００２０】
本発明に係る実施形態の一側面は、一つまたは複数のプログラムが記憶されている非揮発性コンピュータ記憶媒体として、上記一つまたは複数のプログラムが一つのデバイスによって実行される時、
上記デバイスに、
再生待機中のビデオ情報を獲得し、
上記ビデオ情報に含まれたプロモーション情報の上記ビデオ情報における再生位置情報を獲得し、
上記プロモーション情報の上記ビデオ情報における再生位置情報に基づいて、上記ビデオ情報を再生する時に上記プロモーション情報を再生させない、コンピュータ実行可能命令を記録した非揮発性コンピュータ記憶媒体を提供する。
【００２１】
以上の技術案から、本発明に係る実施形態は以下のような有益な効果を奏することができることが分かる。
本発明に係る幾つかの実施形態において、プロモーション情報のビデオ情報における再生位置に基づいて、ビデオ情報を再生する時にプロモーション情報を再生しないようにすることによって、再生されるビデオ情報においてプロモーション情報をスポットアナウンスする再生動作を強制的に回避させ、ユーザーの時間の浪費を減少させ、ビデオを視聴する時の効率を向上させ、ユーザーに良好な視聴体験をもたらす。従って、本発明に係る幾つかの実施形態が提供する技術案は、従来技術ではビデオ情報を再生する時にプロモーション情報のスポットアナウンスがされることで生じる不都合な影響を解消することができる。
【００２２】
本発明の実施例の技術案を更に明確に説明するために、実施例で使用する必要がある図面に対して簡単に紹介するが、下に記述する図面は単に本発明の一部の実施例として、本領域の技術者であれば創造的な労働をしない前題でこれらの図面に基づいて他の図面を得られることは容易なことである。
【図面の簡単な説明】
【００２３】
【図１】本発明に係る実施形態が提供する技術案が使うシステム概略図である。
【図２】本発明に係る実施形態が提供するプロモーション情報の処理方法のフローチャートである。
【図３】本発明に係る実施形態が提供するプロモーション情報の処理装置の機能ブロック図である。
【発明を実施するための形態】
【００２４】
本発明の技術案を更によく理解するために、下に図面と結合して本発明の実施例を詳細に記述する。
記述する実施例は単に本発明の一部の実施例に過ぎなく、全部の実施例ではないことは明確にしなければならない。本領域の技術者が、本発明の実施例に基づいて創造的な労働をしない前題で得たすべてのその他の実施例は、全部本発明が保護する範囲内に属する。
【００２５】
本発明の実施例に使われる用語は、単に特定の実施例を記述するためのもので、本発明を制限する意図ではない。本発明の実施例と請求書に使われる奇数形式の「一つ」、「上記」、「該」も上下文で明確に他の意味を示さない限り、複数形式を含む意図である。
本文に使われる用語「及び／または」は単に関連対象の関連関係を記述し、三つの関係の存在可能を意味する。例えば、Ａ及び／またはＢは、Ａが単独で存在したり、ＡとＢが同時に存在したり、Ｂが単独で存在するという３種類の場合を表すことができる。また、本文で文字「／」は一般に前後関連対象が「または」である関係を表す。
【００２６】
言語環境に依存して、ここで使う単語「もし」は「……する時」または「……と」または「応答して確定」または［応答して検査」と解釈することができる。同じように、言語環境に依存して、句である「もし確定」または「もし（述べる条件または、事件を）検査」というものは、「確定すると」または「応答して確定」または「（述べる条件または、事件を）検査する時」または「応答して（述べる条件または、事件を）検査」と解釈できる。
【００２７】
本発明の実施例に提供する技術案に使われるシステムは、図１に示すように主にクライアントとサーバーにより構成され、本発明の実施例で提供する方法と装置はクライアント側で実現する。
本発明の実施例は、プロモーション情報の処理方法を提供し、図２を参考すると、これは本発明の実施例で提供するプロモーション情報の処理方法のフローチャートである。図に示すように、この方法は以下のようなステップを含む。
【００２８】
Ｓ２０１、再生待機中のビデオ情報を獲得する。
Ｓ２０２、上記ビデオ情報に含まれたプロモーション情報の上記ビデオ情報における再生位置情報を獲得する。
Ｓ２０３、上記プロモーション情報の上記ビデオ情報における再生位置情報に基づいて、上記ビデオ情報を再生する時に上記プロモーション情報を再生しないようにする動作を行う。
上記プロモーション情報の処理方法に基づいて、本発明に係る本実施の形態は、Ｓ２０１の方法について具体的に記述する。このステップは具体的に次のようなステップを含んでいてもよい。
【００２９】
図１に示すように、クライアントはビデオ情報を提供するサイトのサーバーにビデオ再生の請求を発送した後、このサーバーが提供したビデオ情報を受信でき、該ビデオ情報はクライアントにおいて再生待機中のビデオ情報としてもよい。
または、クライアントがユーザーの操作行為に基づいて、クライアントが位置する端末の記憶ユニットからローカルに記憶されたビデオ情報を獲得して、再生待機中のビデオ情報としてもよい。
【００３０】
上記プロモーション情報の処理方法に基づいて、本発明の実施例はＳ２０２の方法について具体的に記述する。このステップは、具体的に次のようなステップを含むことができる。
本発明の実施例で、クライアントは再生待機中のビデオ情報を獲得した後、該ビデオ情報に対して再生遅延処理をする必要がある。これは、クライアント側で該ビデオ情報に含まれたプロモーション情報の該ビデオ情報における再生位置情報を獲得する操作を実行するには所定の時間長さが必要となるからである。それで、クライアントは再生待機中のビデオ情報を獲得した後、該ビデオ情報を直接に再生しない。
【００３１】
好ましくは、クライアントはビデオ情報に基づいて上記操作をする必要があるので、クライアントは該ビデオ情報を再生する前に、先に所定の時間長さにわたって待機画面を再生して、該ビデオ情報に対して再生遅延処理を行うことを実現する。
該待機画面を再生すると同時に、クライアントはプロモーション情報に対して上記処理を行うことは理解できる。
【００３２】
例えば、クライアントは１０秒間にわたって待機画面を再生でき、この待機画面の再生が終了すると上記ビデオ情報を再生できる。
好ましくは、クライアントがビデオ情報に含まれたプロモーション情報のビデオ情報における再生位置情報を獲得する方法は、以下のような三つ方法を含むことができるが、これに限られない。
【００３３】
一番目：まず、クライアントはビデオ情報とプロモーション情報との間における再生位置情報の対応関係を獲得する。次に、クライアントはこの対応関係に基づいて、ビデオ情報に含まれたプロモーション情報の該ビデオ情報における再生位置情報を獲得する。
【００３４】
ここで、予めクライアントのためにビデオ情報とプロモーション情報との間における再生位置情報の対応関係を位置特定してもよく、こうして、クライアントは再生待機中のビデオ情報を獲得した後、上述した位置特定により該ビデオ情報内にマーキングされた位置表示に基づいて、この対応関係に従って該ビデオ情報に含まれたプロモーション情報の該ビデオ情報における再生位置情報をマッチングすることができる。
【００３５】
二番目：まず、クライアントは上記ビデオ情報に含まれたオーディオ情報部分の特徴データを獲得する。次に、クライアントは予定されたプロモーション情報に含まれたオーディオ情報部分の特徴データとビデオ情報に含まれたオーディオ情報部分の特徴データを比較して、ビデオ情報に含まれたプロモーション情報のビデオ情報における再生位置情報を獲得する。
【００３６】
好ましくは、獲得したビデオ情報に対して、クライアントはオーディオ抽出ツールを利用して、ビデオ情報に含まれたオーディオ情報部分を抽出する。次に、クライアントは、該オーディオ情報部分からこのオーディオ情報部分の特徴データを抽出する。ここで、クライアントはオーディオ情報部分に対してフレームごとの単位で特徴データの抽出を行って、フレームごとのオーディオ情報部分における特徴データを獲得してもよいが、これに限られない。
【００３７】
好ましくは、上記オーディオ情報部分の特徴データは、ＺＣＲ（Ｚｅｒｏ−ｃｒｏｓｓｉｎｇ  ｒａｔｅ）、ＭＦＣＣ（Ｍｅｌ  Ｆｒｅｑｕｅｎｃｙ  Ｃｅｐｓｔｒａｌ  Ｃｏｅｆｆｉｃｉｅｎｔｓ）、エネルギー情報、周波数スペクトル分布、リズムと音調キー等の音響特性を表す各種データのうちの少なくとも一つを含むことができるが、これに限られない。
【００３８】
好ましくは、予めクライアントのためにプロモーション情報のデータベースを配置でき、このデータベースは、例えば、プロモーション情報に含まれたイメージ情報部分の特徴データ等のようなプロモーション情報の特徴データを記憶するためのものである。こうして、クライアントは再生待機中のビデオ情報からフレームごとのオーディオ情報部分の特徴データを抽出した後に、フレームごとのオーディオ情報部分の特徴データとデータベースでのプロモーション情報に含まれたオーディオ情報部分の特徴データを比較することによって、再生待機中のビデオ情報にプロモーション情報を含むか否かを判別することができることになり、プロモーション情報を含んでいるのであれば、更に何れのフレームのオーディオ情報部分における特徴データがデータベースから得られるオーディオ情報部分における特徴データとマッチングしたかを確定することができ、プロモーション情報のビデオ情報での位置情報を確定できる。
【００３９】
三番目：まず、クライアントは上記ビデオ情報に含まれたイメージ情報部分の特徴データを獲得した後に、予定のプロモーション情報に含まれたイメージ情報部分の特徴データをビデオ情報に含まれたイメージ情報部分の特徴データと比較して、ビデオ情報に含まれたプロモーション情報のビデオ情報における再生位置情報を獲得する。
【００４０】
好ましくは、獲得したビデオ情報に対して、クライアントはイメージ抽出ツールを利用して、ビデオ情報に含まれたイメージ情報部分を抽出した後、クライアントは該イメージ情報部分から該イメージ情報部分の特徴データを抽出する。ここで、クライアントは、イメージ情報部分に対してフレームごとの単位で特徴データの抽出を行って、フレームごとのイメージ情報部分における特徴データを獲得してもよいが、これに限られない。
【００４１】
好ましくは、上記イメージ情報部分の特徴データは、イメージ情報部分における特徴点、特徴点のタイプ及び特徴点の位置などの画像特徴データを含んでいてもよいが、これに限られない。
【００４２】
好ましくは、予めクライアントのためにプロモーション情報を配置したデータベースにプロモーション情報に含まれたイメージ情報部分の特徴データを記憶させてもよい。こうして、クライアントが再生待機中のビデオ情報からフレームごとのイメージ情報部分の特徴データを抽出した後に、フレームごとのイメージ情報部分における特徴データを、データベースから得られるプロモーション情報に含まれたイメージ情報部分における特徴データと全部比較することによって、再生待機中のビデオ情報にプロモーション情報が含まれるか否かを判別することができ、プロモーション情報を含んでいるのであれば、更に何れのフレームのイメージ情報部分における特徴データがデータベースから得られるプロモーション情報に含まれたイメージ情報部分における特徴データとマッチングしたかを確定することができ、プロモーション情報のビデオ情報における再生位置情報を確定できる。
【００４３】
好ましくは、本発明の実施形態において、ビデオ情報に含まれたプロモーション情報のビデオ情報における再生位置情報は、上記プロモーション情報のビデオ情報における再生開始時刻と再生終了時刻であってもよく、または、プロモーション情報のビデオ情報における再生開始フレームの情報と再生終了フレームの情報であってもよい。
【００４４】
例えば、クライアントのために予め「Ａ放送局」の１個のプログラム表を配置する場合考えると、該プログラム表にはプログラム関連情報及びプログラムに挿入されたプロモーション情報の再生位置情報が含まれており、ドラマＢが毎回放送される時間帯における中間部分に１分間の時間長さのプロモーション情報をスポットアナウンスするならば、クライアントはドラマＢのＵＲＬ（ｕｎｉｆｏｒｍ  ｒｅｓｏｕｒｃｅ  ｌｏｃａｔｏｒ）に基づいて、プログラム表で該ドラマを探し出すことができ、その結果、該ドラマでは毎回の放送ごとに２０分経過時点から１分間の時間長さにわたってプロモーション情報が再生されることが分かるので、このドラマの毎回の放送に含まれたプロモーション情報の当回での再生位置情報の再生開始時刻が２０分経過時点であり、再生終了時刻が２１分経過時点であることが分かる。
【００４５】
ここで、本発明の実施形態において、ビデオ情報に含まれたプロモーション情報のフォーマットは、ビデオフォーマット、イメージフォーマット、及び文字フォーマットを含んでいてもよいが、これらのフォーマットに限られない。ビデオ情報に含まれたプロモーション情報の数量は、少なくとも一つでもよい。
【００４６】
上記プロモーション情報の処理方法に関して説明するために、本発明の実施形態に従いＳ２０３において実行される処理方法について具体的に記述する。このステップは具体的に次のようなステップを含んでいてもよい。
クライアントはプロモーション情報のビデオ情報における具体的な再生位置を確定した後に、プロモーション情報のビデオ情報における再生位置情報に基づいて、ビデオ情報を再生する時に、該プロモーション情報を再生しないようにする処理を行う。
【００４７】
好ましくは、本発明の実施形態において、クライアントはプロモーション情報のビデオ情報における再生位置情報に基づいて、ビデオ情報を再生する時にプロモーション情報を再生しないようにする際、このような再生抑制処理を行う方法は以下のような二つ方法ステップを含んでいてもよいが、これに限られない。
【００４８】
一番目：クライアントは、上記プロモーション情報の上記ビデオ情報における再生位置情報に基づいて、上記ビデオ情報を再生する時に、上記プロモーション情報に対して早送り操作を実行して、上記ビデオ情報を再生する時に、当該プロモーション情報の再生区間を除去し、こうして、ビデオ情報からこのプロモーション情報を濾過してしまうことにより、従来技術においてビデオ情報を再生する時にプロモーション情報がスポットアナウンスされることで生じる不都合な影響を解消することができる。
【００４９】
例えば、クライアントは、再生開始フレームの情報に対応する時刻および再生終了フレームの情報に対応する時刻に基づいて、早送り操作の時間間隔を確定してもよい。ビデオ情報を再生する時、再生開始フレームの情報に基づいて、再生中のビデオ情報からプロモーション情報の再生開始フレームを探し出して、該再生開始フレームに対応するビデオ情報を表示し、次に早送り操作の時間間隔に基づいて再生終了フレーム情報に対応するビデオ情報を直接に続けて表示して、プロモーション情報に対する早送り操作の実行を実現することによって、プロモーション情報の再生区間を直接に飛び越えてもよい。
【００５０】
二番目：まず、クライアントは再生待機中のメディア資源を獲得する。次に、クライアントは、上記プロモーション情報の上記ビデオ情報における再生位置情報に基づいて、上記ビデオ情報を再生する時に、上記プロモーション情報の再生を、上記メディア資源を用いた再生に切替える。
【００５１】
好ましくは、上記メディア資源は、イメージ情報、その他のビデオ情報及びテキスト情報のうちの少なくとも１つを含んでいてもよい。
好ましくは、予めクライアントのためにメディア資源を配置し、該メディア資源の数量が少なくとも１つであってもよく、もしメディア資源が少なくとも２つであれば、クライアントは少なくとも１つのメディア資源をランダムに選択してもよく、本発明の実施形態はこれに対して特に限定しない。
【００５２】
例えば、クライアントは上記プロモーション情報の上記ビデオ情報における再生位置情報に基づいて、上記ビデオ情報を再生する時に、上記プロモーション情報の再生を、上記メディア資源を利用した再生へと切替える方法は、以下のような方法を含んでいてもよいが、これに限られない。クライアントは、プロモーション情報を含むビデオ情報を第１再生ソースとし、獲得したメディア資源を第２再生ソースとする。該ビデオ情報を再生する時に、プロモーション情報のビデオ情報における再生位置情報に基づいて、プロモーション情報の再生開始時刻、または再生開始フレームに到達すると、クライアントは第２再生ソースに切り替えて、フォアグラウンド再生で取り得たメディア資源を利用して、プロモーション情報をバックグラウンドに切り替えてバックグラウンド再生し、プロモーション情報の再生終了時刻、または再生終了フレームに到達した時、クライアントを第１再生ソースに再び復帰させるために第１再生ソース側に切り替え、続いてフォアグラウンド再生を利用してビデオ情報を再生することによって、プロモーション情報の再生をメディア資源による再生に切替えて再生する処理を実現する。
【００５３】
ここで、Ｓ２０１〜Ｓ２０３の実行主体は、プロモーション情報の処理装置であってもよく、該装置はローカル端末に位置したアプリケーションであってもよく、または、ローカル端末のアプリケーションに位置したプラグイン、または、ソフトウェア開発キット（Ｓｏｆｔｗａｒｅ  Ｄｅｖｅｌｏｐｍｅｎｔ  Ｋｉｔ、ＳＤＫ）等の機能ユニットであってもよいが、本発明の実施例はこれに対して特に限定しない。
【００５４】
ここで、上記アプリケーションは、端末に設置されたネイティブアプリ（ｎａｔｉｖｅＡｐｐ）、または、端末上のブラウザーの１つのウェブプログラム（ＷｅｂＡｐｐ）であってもよく、本発明はこれに対して限られない。
【００５５】
本発明の実施形態において用いられる端末は、パーソナルコンピューター（Ｐｅｒｓｏｎａｌ  Ｃｏｍｐｕｔｅｒ、ＰＣ）、パーソナル携帯情報端末（Ｐｅｒｓｏｎａｌ  Ｄｉｇｉｔａｌ  Ａｓｓｉｓｔａｎｔ、ＰＤＡ）、無線携帯デバイス、タブレットＰＣ（Ｔａｂｌｅｔ  Ｃｏｍｐｕｔｅｒ）、携帯電話、ＭＰ３プレーヤー、ＭＰ４プレーヤー等を含んでいてもよいが、これに限られない。
【００５６】
本発明の実施例は、更に上記方法実施例中の各ステップ及び方法を実現する装置実施例を提供する。
【００５７】
図３を参考すると、これは本発明に係る実施形態が提供するプロモーション情報の処理装置の機能ブロック図である。図に示すように、該装置は、
再生待機中のビデオ情報を獲得するための情報獲得ユニット３０１と、
上記ビデオ情報に含まれたプロモーション情報の上記ビデオ情報における再生位置情報を獲得するための位置確定ユニット３０２と、
上記プロモーション情報の上記ビデオ情報における再生位置情報に基づいて、上記ビデオ情報を再生する時に上記プロモーション情報を再生しないようにする情報処理ユニット３０３と、を含む。
【００５８】
好ましくは、上記情報獲得ユニット３０１は、具体的に、
ビデオ情報とプロモーション情報との間における再生位置情報の対応関係を獲得し、
上記対応関係に基づいて、上記ビデオ情報に含まれたプロモーション情報の上記ビデオ情報における再生位置情報を獲得するためのものである。
【００５９】
好ましくは、上記情報獲得ユニット３０１は、具体的に、
上記ビデオ情報の特徴データを獲得して、
予定されたプロモーション情報の特徴データと上記ビデオ情報の特徴データを比較して、上記ビデオ情報に含まれたプロモーション情報の上記ビデオ情報における再生位置情報を獲得する。
【００６０】
好ましくは、上記ビデオ情報の特徴データは、上記ビデオ情報に含まれたオーディオ情報部分における特徴データであり、上記プロモーション情報の特徴データは、上記プロモーション情報に含まれたオーディオ情報部分における特徴データであり、または、上記ビデオ情報の特徴データは、上記ビデオ情報に含まれたイメージ情報部分における特徴データで、上記プロモーション情報の特徴データは、上記プロモーション情報に含まれたイメージ情報部分における特徴データである。
【００６１】
好ましくは、上記ビデオ情報に含まれたプロモーション情報の上記ビデオ情報における再生位置情報は、上記プロモーション情報の上記ビデオ情報における再生開始時刻と再生終了時刻を含み、または、上記ビデオ情報に含まれたプロモーション情報の上記ビデオ情報における再生位置情報は、上記プロモーション情報の上記ビデオ情報における再生開始フレームの情報と再生終了フレームの情報を含む。
【００６２】
好ましくは、上記情報処理ユニット３０３は具体的に
上記プロモーション情報の上記ビデオ情報における再生位置情報に基づいて、上記ビデオ情報を再生する時に、上記プロモーション情報に対して早送り操作を実行する。
【００６３】
好ましくは、上記情報処理ユニット（３０３）は、具体的に、
再生待機中のメディア資源を獲得し、
上記プロモーション情報の上記ビデオ情報における再生位置情報に基づいて、上記ビデオ情報を再生する時に、上記メディア資源を利用して上記プロモーション情報を切替えるためのものであり、
ここで、上記メディア資源は、イメージ情報、その他のビデオ情報、及びテキスト情報のうちの少なくとも一つを含んでいてもよい。
【００６４】
本実施例における各ユニットが図２に示す方法を実行できるので、本実施例で詳細に記載しなかった部分は、図２についての関連説明を参照してもよい。
【００６５】
本発明の技術案は以下の有益な効果を持つ。
本発明の実施例において、プロモーション情報のビデオ情報における再生位置に基づいて、ビデオ情報を再生する時にプロモーション情報を再生しないようにするので、再生されるビデオ情報においてスポットアナウンスのためにプロモーション情報が強制的に再生されるのを回避し、ユーザーの時間浪費を減少させ、ビデオを視聴する時の効率を向上させ、ユーザーに良好な視聴体験をもたらす。それで、本発明に係る実施形態により提供する技術案は、従来技術においてビデオ情報を再生する時にプロモーション情報がスポットアナウンスされることで生じる不都合な影響を解決することができる。
【００６６】
所属分野の当業者であれば、記述の便利と簡潔のために、上述記述のシステム、装置と手段の具体的な動作過程は、前述方法の実施例における対応する過程を参照できることを理解すべきで、ここで重複に記述しない。
【００６７】
本発明で提供した幾つの実施例で開示したシステム、装置及び方法は、他の方式によって実現できるのは理解すべきである。例えば、以上に記載した装置の実施例はただ例示的なもので、例えば、前記手段の分割はただロジック機能の分割で、実際に実現する時は他の分割方式によってもよい。例えば、複数の手段又はモジュールは結合でき又は他の一つのシステムに集積でき、またはある特徴は無視し、または実行しなくてもよい。他に、示しまたは検討した互いの間の結合または直接に結合又は通信接続は、あるインタフェース、装置または手段の間接的な接合又は通信接続によるものであってもよく、電気的、機械または他の形式であってもよい。
【００６８】
前記で分離部材として説明した手段は、物理上で分離したものであってもよく物理上で分離しなかったものであってもよく、手段として示した部材は物理的な手段であってもよく、物理的な手段でなくてもよく、即ち、同一の位置にあってもよく、複数のネットワークユニットに分布されていてもよい。実際の必要によってその中の一部または全部手段を選択して、本実施例の方案の目的を実現してもよい。
【００６９】
また、本発明の各実施例における各機能手段は一つの処理モジュールに集積してもよく、各手段が物理上で単独に存在してもよく、二つ又は二つ以上の手段を一つの手段に集積してもよい。前記集積した手段は、ハードウェアの形式に実現してもよく、ハードウェアにソフトウェアの機能手段を結合する形式で実現してもよい。
【００７０】
上記のソフト機能手段の形式で実現した集積した手段は、一つのコンピュータが可読な記憶媒体に記憶してもよい。前記ソフト機能手段は一つの記憶媒体に記憶してもよく、複数の命令を含んで一つのコンピューターデバイス（パーソナルコンピューター、サーバー、又はネットワークデバイス等）又はプロセッサ（ｐｒｏｃｅｓｓｏｒ）によって、本発明の各実施例の前記方法の一部のステップを実行させてもよい。前記記憶媒体は、Ｕディスク、ポータブルハードウェア、読み出し専用メノリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、ディスク又は光ディスク等の複数のプログラムコードを記憶できる媒体を含む。
【００７１】
前記はただ本発明の好ましい実施例で、本発明についての限定ではなく、本発明の主旨及び原則の範囲で実行したいずれの修正、等価置換、改良などは、全部本発明の保護する範囲に属すべきである。
【図１】
2017538328.tif 000003
【図２】
2017538328.tif 000004
【図３】
2017538328.tif 000005
【国際調査報告】
2017538328.tif 000006
2017538328.tif 000007
2017538328.tif 000008
2017538328.tif 000009